(57)【特許請求の範囲】
【請求項１】
機密事項を隠蔽するために、スクラッチ隠蔽層がシート上に施されているスクラッチシートにおいて、アルミニウム粉を含むスクラッチインキをスクラッチ隠蔽層とし、前記隠蔽層上に視角により色変化する光学可変性材料を含むインキを用いて形成したパターン層を設けたことを特徴とする偽造防止及びデザイン効果を有したスクラッチシート。
【請求項２】
前記光学可変性材料の含有率が、前記パターン層形成用インキ１００重量％に対し固形分で１５〜２５重量％であることを特徴とする請求項１記載の偽造防止及びデザイン効果を有したスクラッチシート。
【発明の詳細な説明】
【０００１】
【発明の属する技術分野】
本発明はスクラッチ隠蔽インキを用いたスクラッチ隠蔽層部の偽造防止及びデザイン効果向上に寄与する偽造防止及びデザイン効果を有したスクラッチシートに関する。
【０００２】
【従来の技術】
従来の機密事項を隠蔽するために用いられるスクラッチ隠蔽層（スクラッチインキ）は、ある程度のねばりを保持するためのゴム系樹脂（例えばＳＢＲ）を主成分としたインキバインダーに、隠蔽性とスクラッチ性を保持するためのアルミ粉を２０〜３０％添加したものであり、このインキ自身は比較的容易に偽造が可能であり、且つこのスクラッチインキを用いたスクラッチカードやインスタント抽選券等のスクラッチ隠蔽層部を一旦剥離（スクラッチオフ）し機密事項（当たり番号等）を判読後に前記のスクラッチ隠蔽層を再作製して偽造することも可能であった。即ちスクラッチカードやインスタント抽選券等のスクラッチ隠蔽層部の偽造防止が課題となっていた。
【０００３】
また従来のスクラッチインキを用いたスクラッチカードやインスタント抽選券等のスクラッチ隠蔽層部はアルミ粉等でできているため、全体にグレーに発色しデザイン効果に乏しかった。
【０００４】
【発明が解決しようとする課題】
本発明は、上記問題点に鑑みなされものであり、その目的とするところは、スクラッチ隠蔽層部の偽造防止及びデザイン効果を有したスクラッチシートを提供するものである。
【０００５】
【課題を解決するための手段】
本発明に於いて上記目的を達成するために、まず請求項１の発明では、機密事項を隠蔽するために、スクラッチ隠蔽層がシート上に施されているスクラッチシートにおいて、アルミニウム粉を含むスクラッチインキをスクラッチ隠蔽層とし、前記隠蔽層上に視角により色変化する光学可変性材料を含むインキを用いて形成したパターン層を設けたことを特徴とする偽造防止及びデザイン効果を有したスクラッチシートとし、
請求項２の発明では、前記光学可変性材料の含有率が、前記パターン層形成用インキ１００重量％に対し固形分で１５〜２５重量％であることを特徴とする請求項１記載の偽造防止及びデザイン効果を有したスクラッチシートとしたものである。
【０００６】
【作用】
上記の如き本発明のスクラッチシートは、光学可変性材料を用いているので、光学可変性を付与することができ、スクラッチ隠蔽層部は目視による真偽判定が容易に行えるため、偽造防止効果があり、且つカラフルなデザイン効果が得られる。
【０００７】
ここで光学可変性材料について簡単に説明する。積層された金属薄膜は視角により色変化する。これは光屈折率の異なる金属の積層された薄膜の光干渉技術を利用したもので、この金属の種類、層の厚さ、層数の組み合わせにより、種々の色変化する薄膜を得ることができる。その薄膜をフレーク状にしてインキバインダー中に分散させたものが視角によって色変化する光学可変性インキとなる。
【０００８】
またスクラッチシートとは、基板４（図１参照）上に機密事項７（図１参照）が印字やパターン化されていて、これを隠蔽するためにスクラッチ隠蔽層部２（図１参照）を設け、このスクラッチ隠蔽層部２をキズ等から保護するためのＯＰニス層１（図１参照）から成っているもので、具体例としてスクラッチカードやインスタント抽選券などがある。そのスクラッチ隠蔽層部を爪やコイン等で剥離することにより、機密事項を判読可能となるものである。
【０００９】
【発明の実施の形態】
本発明の実施の形態を以下に詳細に説明する。
【００１０】
図１のスクラッチシートにおいて、本発明の１実施形態はスクラッチ隠蔽層部２に光学可変性を付与するため、ゴム系樹脂をバインダーとして光学可変性フレークを分散した光学可変性インキを層状に塗布して、前記スクラッチ隠蔽層部２を形成したスクラッチシートである。
【００１１】
図２のスクラッチシートにおいて、本発明のもう一つの実施形態は従来のゴム系樹脂をバインダーとして、アルミ粉を分散させたスクラッチ隠蔽層部６の上に光学可変性インキでパターン状に印刷した光学可変性インキ層５を形成したスクラッチシートである。
【００１２】
【実施例】
以下実施例により本発明を詳細に説明する。
【００１３】
＜実施例１＞
図１のスクラッチシートにおいて、基板４である１８８μｍの白色ポリエステルフィルムに機密事項７をオフセット印刷で施し、その上に機密事項等の保護を目的として透明アンカーコート層３をグラビア方式にて形成した。
【００１４】
次にスクラッチ隠蔽層部２を表１「光学可変性スクラッチインキ組成」にある組成のインキを使用し、スクリーン印刷で約１０μｍのスクラッチ隠蔽層部２を形成した。
【００１５】
この光学可変性スクラッチインキに使用した光学可変性フレークは、真上からはグリーンに、斜めからはマゼンタに見えるものを使用した。
【００１６】
次いでスクラッチ隠蔽層部２の上にこのスクラッチ隠蔽層部２を傷等から保護する目的で、全面に透明オーバーコートニス層１を施すことによって、本発明の目的である偽造防止効果及びデザイン効果を有したスクラッチカードが得られた。
【００１７】
【表１】
0003617720.tif 000002
【００１８】
＜実施例２＞
図２のスクラッチシートにおいて、基板４である２５０μｍの白色印刷用紙に機密事項７を感熱プリンターで印字し、その上に機密事項等の保護、印刷用紙の目止めやスクラッチオフ性向上を目的としてエチレン系ワックスの透明剥離層８をグラビア方式にて形成した。
【００１９】
次にスクラッチ隠蔽層部６を表２「従来のスクラッチインキ組成」にある組成のインキを使用し、スクリーン印刷で約１０μｍのスクラッチ隠蔽層部６を形成した。
【００２０】
そのスクラッチ隠蔽層部６の上に、表３「光学可変性インキ組成」にある光学可変性フレーク（サイズ５〜２０μｍ、厚さ１μｍ）を１５〜２０％含む光学可変性スクリーンインキで光学可変性インキ層５をラインパターン状にスクリーン印刷方式にて形成した。
【００２１】
光学可変性フレークとして、実施例１と同様の真上からはグリーンに、斜めからはマゼンタに見えるものを使用した。
【００２２】
次いでスクラッチ隠蔽層部６と光学可変性インキ層５の上にこのスクラッチ隠蔽層部等を傷等から保護する目的で、全面に透明オーバーコートニス層１を施すことによって、本発明の目的である偽造防止効果及びデザイン効果を有したスクラッチ抽選券が得られた。なおこの実施例のように光学可変性インキ層の様々なパターン化が可能なため、実施例１に比べ更にデザイン効果の広がりを持たせる事が出来た。
【００２３】
【表２】
0003617720.tif 000003
【００２４】
【表３】
0003617720.tif 000004
【００２５】
【発明の効果】
本発明は以上の構成であるから、下記に示す如き効果がある。
即ち、本発明のスクラッチシートにおいて、光学可変性を有したスクラッチ隠蔽層部を設ける事によって、視角により色変化するため、従来のスクラッチシートとの目視による真偽判定が容易であることと、光学可変性インキの一般製造が困難であることから、本発明のスクラッチシートの偽造は不可能である。これは本発明のスクラッチシートのスクラッチ隠蔽層部を一旦剥離し、機密事項を判読後、スクラッチ隠蔽層を再作製することを不可能にした優れた偽造防止効果を有するものである。
また、本発明のスクラッチシートは、視角により色変化するため、従来のスクラッチシートの隠蔽層にもちいられるグレー色あるいは銀色に比べカラフルなデザイン効果を有する。
【図面の簡単な説明】
【図１】本発明の一実施例を示すスクラッチシートの側断面図。
【図２】本発明の他の実施例を示すスクラッチシートの側断面図。
【符号の説明】
１‥‥オーバーコートニス層
２‥‥光学可変性を有したスクラッチ隠蔽層
３‥‥透明アンカーコート層
４‥‥基板
５‥‥光学可変性層
６‥‥スクラッチ隠蔽層
７‥‥機密事項
８‥‥透明剥離層
【図１】
0003617720.tif 000005
【図２】
0003617720.tif 000006